(57)【特許請求の範囲】
【請求項１】
円板状をなし、インサート軸線回りに延びる円形状の切れ刃を有する切削インサートと、
前記切削インサートが前記インサート軸線回りに回転可能に装着されるインサート取付座を有する工具本体と、を備えた刃先回転式切削工具であって、
前記工具本体には、前記切削インサートの外周面に向けて開口する貫通孔が形成され、
前記切削インサートを前記インサート軸線方向から見て、前記貫通孔の開口部の中心軸が、前記切削インサートの外周面に交差し、かつ、前記インサート軸線上を通らないように配置されることを特徴とする刃先回転式切削工具。
【請求項２】
円板状をなし、インサート軸線回りに延びる円形状の切れ刃を有する切削インサートと、
前記切削インサートが前記インサート軸線回りに回転可能に装着されるインサート取付座を有する工具本体と、を備えた刃先回転式切削工具であって、
前記工具本体には、前記切削インサートの外周面に向けて開口する貫通孔が形成され、
前記切削インサートの表面及び裏面のうち表面と、前記外周面との交差稜線に、前記切れ刃が形成され、
前記貫通孔の開口部の中心軸が、該開口部から前記切削インサートに向かうに従い漸次前記インサート軸線方向の裏面から表面側へ向けて延びていることを特徴とする刃先回転式切削工具。
【請求項３】
請求項１に記載の刃先回転式切削工具であって、
前記貫通孔の開口部の中心軸が、前記インサート軸線に垂直な仮想平面に沿って延びていることを特徴とする刃先回転式切削工具。
【請求項４】
円板状をなし、インサート軸線回りに延びる円形状の切れ刃を有する切削インサートと、
前記切削インサートが前記インサート軸線回りに回転可能に装着されるインサート取付座を有する工具本体と、を備えた刃先回転式切削工具であって、
前記工具本体には、前記切削インサートの外周面に向けて開口する貫通孔が形成され、
前記工具本体は、工具軸線回りに回転させられ、
前記切削インサートを前記インサート軸線方向から見て、このインサート軸線に対して、前記貫通孔の開口部が、前記工具軸線に直交する工具径方向の内側に配置されることを特徴とする刃先回転式切削工具。
【請求項５】
請求項４に記載の刃先回転式切削工具であって、
前記切削インサートを前記インサート軸線方向から見て、
前記切れ刃のうち前記工具軸線方向の工具先端側の端部と、前記インサート軸線上と、を結ぶ仮想直線を第１の仮想直線とし、
前記貫通孔の開口部の中心軸と前記切削インサートの外周面の交差点と、前記インサート軸線上と、を結ぶ仮想直線を第２の仮想直線として、
前記第１の仮想直線と前記第２の仮想直線との間に形成される中心角θが、０〜１５０°であることを特徴とする刃先回転式切削工具。
【請求項６】
円板状をなし、インサート軸線回りに延びる円形状の切れ刃を有する切削インサートと、
前記切削インサートが前記インサート軸線回りに回転可能に装着されるインサート取付座を有する工具本体と、を備えた刃先回転式切削工具であって、
前記工具本体には、前記切削インサートの外周面に向けて開口する貫通孔が形成され、
前記工具本体は、工具軸線回りに回転させられ、
前記切削インサートを前記インサート軸線方向から見て、このインサート軸線に対して、前記貫通孔の開口部が、前記工具軸線に直交する工具径方向の外側に配置されることを特徴とする刃先回転式切削工具。
【請求項７】
請求項４〜６のいずれか一項に記載の刃先回転式切削工具であって、
前記切削インサートを前記インサート軸線方向から見て、
前記貫通孔の開口部の中心軸が、前記工具軸線方向の工具先端側へ向かうに従い漸次前記工具径方向の内側へ向けて延びていることを特徴とする刃先回転式切削工具。
【請求項８】
請求項４〜６のいずれか一項に記載の刃先回転式切削工具であって、
前記切削インサートを前記インサート軸線方向から見て、
前記貫通孔の開口部の中心軸が、前記工具軸線方向の工具先端側へ向かうに従い漸次前記工具径方向の外側へ向けて延びていることを特徴とする刃先回転式切削工具。
【請求項９】
請求項４〜６のいずれか一項に記載の刃先回転式切削工具であって、
前記切削インサートを前記インサート軸線方向から見て、
前記貫通孔の開口部の中心軸が、前記工具軸線に対して平行に延びていることを特徴とする刃先回転式切削工具。
【請求項１０】
請求項１〜９のいずれか一項に記載の刃先回転式切削工具に用いられることを特徴とする工具本体。
【発明の詳細な説明】
【技術分野】
【０００１】
本発明は、円板状をなす切削インサートがそのインサート軸線回りに回転可能とされてインサート取付座に装着される、刃先回転式ミーリング工具及び刃先回転式ターニング工具等の刃先回転式切削工具、及びその工具本体に関するものである。
【背景技術】
【０００２】
従来、金属材料等からなる被削材を、ミーリング加工（転削加工）する刃先回転式ミーリング工具や、ターニング加工（旋削加工）する刃先回転式ターニング工具等の、刃先回転式切削工具が知られている。
刃先回転式切削工具は、工具本体と、切削インサートと、を有している。切削インサートは、円板状をなし、インサート軸線回りに延びる円形状の切れ刃を有している。工具本体は、切削インサートがインサート軸線回りに回転可能（回転自在）に装着されるインサート取付座を有している。
【０００３】
例えば下記特許文献１には、工具軸線回りに回転する工具本体の先端外周部に形成されたインサート取付座に、円板状をなし外周縁に切れ刃を備えた切削インサートが、そのインサート軸線回りに回転自在とされて装着された刃先回転式ミーリング工具が開示されている。
【０００４】
この種の刃先回転式ミーリング工具では、切削加工時において、切削インサートが被削材に切り込んで加工する際に切れ刃が受ける力（切削力又は切削抵抗であり、刃先力又はエッジフォースの成分を含む）によって、インサート取付座に対して切削インサートがインサート軸線回りに従動回転するようになっている。
これにより、切れ刃の所定部分のみが連続的に切削に供されることを抑制して、該切れ刃の部分的な切れ味の低下や刃先欠損等を防止している。
【０００５】
そして、特許文献１では、切削インサートに同軸となるようにタービン（羽根車）を連結し、このタービンに対してクーラントを噴出し回転させることで、切削インサートの従動回転をアシストしている。
【先行技術文献】
【特許文献】
【０００６】
【特許文献１】特開２０１０−９４７９２号公報
【発明の概要】
【発明が解決しようとする課題】
【０００７】
しかしながら、上記従来の刃先回転式切削工具においては、下記の課題を有していた。
特許文献１では、切削インサートにタービンを連結しているため、構造が複雑であり、また構成部品が大きくなるため、工具を小型化することが難しい。
また、タービンに対してクーラントを噴出しているので、切削インサートを冷却する効果は得られにくい。また、切れ刃に対してクーラントを安定供給することが難しい。
【０００８】
本発明は、このような事情に鑑みてなされたものであって、構造を複雑にすることなく、小型化も容易で、切削加工時においては、切削インサートを安定して従動回転させることができ、かつ、切削インサートの冷却効果を高められ、切れ刃にクーラントを安定供給することができる刃先回転式切削工具、及びその工具本体を提供することを目的としている。
【課題を解決するための手段】
【０００９】
このような課題を解決して、前記目的を達成するために、本発明は以下の手段を提案している。
すなわち本発明は、円板状をなし、インサート軸線回りに延びる円形状の切れ刃を有する切削インサートと、前記切削インサートが前記インサート軸線回りに回転可能に装着されるインサート取付座を有する工具本体と、を備えた刃先回転式切削工具であって、前記工具本体には、前記切削インサートの外周面に向けて開口する貫通孔が形成され、前記切削インサートを前記インサート軸線方向から見て、前記貫通孔の開口部の中心軸が、前記切削インサートの外周面に交差し、かつ、前記インサート軸線上を通らないように配置されることを特徴とする。
また本発明は、円板状をなし、インサート軸線回りに延びる円形状の切れ刃を有する切削インサートと、前記切削インサートが前記インサート軸線回りに回転可能に装着されるインサート取付座を有する工具本体と、を備えた刃先回転式切削工具であって、前記工具本体には、前記切削インサートの外周面に向けて開口する貫通孔が形成され、前記切削インサートの表面及び裏面のうち表面と、前記外周面との交差稜線に、前記切れ刃が形成され、前記貫通孔の開口部の中心軸が、該開口部から前記切削インサートに向かうに従い漸次前記インサート軸線方向の裏面から表面側へ向けて延びていることを特徴とする。
また本発明は、円板状をなし、インサート軸線回りに延びる円形状の切れ刃を有する切削インサートと、前記切削インサートが前記インサート軸線回りに回転可能に装着されるインサート取付座を有する工具本体と、を備えた刃先回転式切削工具であって、前記工具本体には、前記切削インサートの外周面に向けて開口する貫通孔が形成され、前記工具本体は、工具軸線回りに回転させられ、前記切削インサートを前記インサート軸線方向から見て、このインサート軸線に対して、前記貫通孔の開口部が、前記工具軸線に直交する工具径方向の内側に配置されることを特徴とする。
また本発明は、円板状をなし、インサート軸線回りに延びる円形状の切れ刃を有する切削インサートと、前記切削インサートが前記インサート軸線回りに回転可能に装着されるインサート取付座を有する工具本体と、を備えた刃先回転式切削工具であって、前記工具本体には、前記切削インサートの外周面に向けて開口する貫通孔が形成され、前記工具本体は、工具軸線回りに回転させられ、前記切削インサートを前記インサート軸線方向から見て、このインサート軸線に対して、前記貫通孔の開口部が、前記工具軸線に直交する工具径方向の外側に配置されることを特徴とする。
また、本発明の工具本体は、上述した刃先回転式切削工具に用いられることを特徴としている。
【００１０】
この刃先回転式切削工具では、切削加工時において、切削インサートが切れ刃で被削材に切り込み、この際に被削材から受ける力によって、切削インサートはインサート取付座に対してインサート軸線回りに従動回転させられる。
本発明の刃先回転式切削工具及びその工具本体によれば、工具本体に形成された貫通孔が、該工具本体のインサート取付座に装着される切削インサートの外周面に向けて、開口している。
このため、工具本体の貫通孔の内部に、例えば液体やガス等の流体を流通させて、貫通孔の開口部から切削インサートの外周面に向けて噴出させることができる。なお、この流体としては、クーラント（油性又は水溶性の切削液剤）を用いることが好ましいが、それ以外の流体であってもよい。
【００１１】
貫通孔の開口部から切削インサートの外周面に噴出させられた流体は、この切削インサートをインサート軸線回りに回転させるように作用する。つまり、貫通孔から流体を噴出させ、切削インサートの外周面に衝突させることによって、この切削インサートに対して、インサート軸線回りの回転力を生じさせることができる。そして、この回転力によって、切削インサートの従動回転をアシストすることができる。
また、このように切削インサートの従動回転をアシストすることによって、該切削インサートの回転数を安定的に高めることができる。これにより、切削加工の加工速度を高めることが可能になり、加工能率が向上する。
【００１２】
また、切削インサートが円板状をなしていることから、該切削インサートの外周面に噴出された流体は、この外周面に沿ってインサート軸線回りに流れていく。つまり流体は、切削インサートの外周面上を、広い範囲に接触させられつつ流れていくので、切削加工により高められた切削インサートの熱（切削熱）を、流体との間で効率よく熱交換することができる。従って、切削インサートを冷却する効果が高められる。特に、切削インサートの外周面の端縁に位置する切れ刃近傍を効率よく冷却することが可能になる。
【００１３】
さらに、流体としてクーラントを用いた場合には、切削インサートの表面（すくい面）及び裏面（インサート取付座への着座面）のうち表面と、外周面との交差稜線に位置する切れ刃に対して、クーラントを安定して供給することができる。
詳しくは、切削インサートの外周面は、切削加工時においては逃げ面として機能する。このため、本発明によれば、クーラントを逃げ面から切れ刃へ向けて供給することができる。つまり、切削加工時においては、切れ刃に切削されて生じた切屑が、切削インサートのすくい面上を流れていくため、すくい面から切れ刃へ向けたクーラントの供給については、切屑により妨げられやすくなるが、逃げ面から切れ刃へ向けたクーラントの供給については、切屑により妨げられることはない。
従って、切れ刃にクーラントを安定して供給することが可能になる。またこれにより、切れ刃の刃先欠損、溶着、摩耗等を顕著に抑制でき、工具寿命を延長できるとともに、切削加工の精度を安定的に高品位に維持することができる。
【００１４】
そして本発明によれば、工具本体に貫通孔を形成するという簡単な構造により、上述の優れた作用効果を得ることができる。また、工具を小型化するにあたって、貫通孔が妨げになるようなことも考えにくい。
【００１５】
以上より本発明によれば、構造を複雑にすることなく、小型化も容易で、切削加工時においては、切削インサートを安定して従動回転させることができ、かつ、切削インサートの冷却効果を高められ、切れ刃にクーラントを安定供給することができる。
【００１６】
また、本発明の刃先回転式切削工具において、前記切削インサートを前記インサート軸線方向から見て、前記貫通孔の開口部の中心軸が、前記切削インサートの外周面に交差し、かつ、前記インサート軸線上を通らないように配置される。
【００１７】
この場合、切削インサートをインサート軸線方向から見たインサート正面視において、工具本体に形成された貫通孔の開口部の中心軸（の延長線）上に、切削インサートの外周面が位置しており、かつ、該切削インサートのインサート軸線が位置していない。
つまり、貫通孔から噴出させられる流体の噴出方向が、該貫通孔の開口部と、切削インサートのインサート軸線とを結ぶ仮想直線上に一致しないようにされているので、切削インサートの外周面に流体が衝突したときに、この切削インサートに対して、インサート軸線回りのインサート周方向のうち、必ず所定方向に向けて回転力が付与されるようになっている。
従って、この回転力によって、切削インサートの従動回転を安定してアシストすることが可能になる。
【００１８】
また、本発明の刃先回転式切削工具において、前記切削インサートの表面及び裏面のうち表面と、前記外周面との交差稜線に、前記切れ刃が形成され、前記貫通孔の開口部の中心軸が、該開口部から前記切削インサートに向かうに従い漸次前記インサート軸線方向の裏面から表面側へ向けて延びている。
【００１９】
この場合、貫通孔の開口部から切削インサートの外周面へ向けて噴出させられた流体が、該外周面に衝突した後、そのまま切れ刃へ向けて流れやすくなる。従って、切れ刃近傍を冷却する効果や、切れ刃にクーラントを安定供給できるという効果が、より格別顕著なものとなる。
【００２２】
また、本発明の刃先回転式切削工具において、前記工具本体は、工具軸線回りに回転させられ、前記切削インサートを前記インサート軸線方向から見て、このインサート軸線に対して、前記貫通孔の開口部が、前記工具軸線に直交する工具径方向の内側に配置される。
【００２３】
この場合、刃先回転式切削工具は、工具本体がその工具軸線回りに回転させられつつ、該工具本体のインサート取付座に取り付けられた切削インサートが、被削材に切り込んでミーリング加工（転削加工）を行う、刃先回転式ミーリング工具である。
【００２４】
そして上記構成によれば、切削インサートをインサート軸線方向から見たインサート正面視で、貫通孔の開口部が、切削インサートのインサート軸線よりも工具径方向の内側において工具本体に開口しているので、貫通孔の内部を流れる流体が、工具本体の回転による遠心力の作用により、切削インサートの外周面に向けて勢いを増しつつ衝突させられ、かつ、衝突後には、工具径方向の外側に向けて切削インサートの外周面上を流れていく。
従って、上述した本発明の作用効果が、より顕著なものとなりやすい。
【００２５】
またこの場合、工具本体の内部を通る貫通孔のうち、工具軸線上に延びる幹孔等に対して、貫通孔の開口部（枝孔）を、折れ曲がることのない一本の直線状の孔により容易に接続することができ、工具を製造しやすい。また設計上においても、貫通孔の開口部から流体が噴出する噴出方向を、切削インサートの従動回転をアシスト可能な向きに、容易に対応させやすい。
【００３０】
また、本発明の刃先回転式切削工具において、前記工具本体は、工具軸線回りに回転させられ、前記切削インサートを前記インサート軸線方向から見て、このインサート軸線に対して、前記貫通孔の開口部が、前記工具軸線に直交する工具径方向の外側に配置される。
【００３１】
この場合も、刃先回転式切削工具は、工具本体がその工具軸線回りに回転させられつつ、該工具本体のインサート取付座に取り付けられた切削インサートが、被削材に切り込んでミーリング加工（転削加工）を行う、刃先回転式ミーリング工具である。
【００３２】
そして上記構成によれば、切削インサートをインサート軸線方向から見たインサート正面視で、貫通孔の開口部が、切削インサートのインサート軸線よりも工具径方向の外側において工具本体に開口しているので、下記の作用効果を奏する。
すなわち、例えば、切れ刃の工具先端側の端部（の刃先接線）におけるラジアルレーキ角（径方向すくい角、外周すくい角）が、正（ポジティブ）角に設定されたときには、ラジアルレーキ角が負（ネガティブ）角に設定された場合とは、切削インサートの従動回転の向き（インサート軸線回りの回転方向）が、逆回転となる場合がある。このような場合に、上記構成を用いることによって、切削インサートの従動回転を簡単な構造により確実にアシストすることができる。
また、本発明の刃先回転式切削工具において、前記貫通孔の開口部の中心軸が、前記インサート軸線に垂直な仮想平面に沿って延びていることとしてもよい。
この場合、貫通孔の開口部から噴出した流体が切削インサートの外周面に衝突させられて生じるインサート軸線回りの回転力が、最も大きくなりやすく、よって切削インサートの従動回転をアシストする効果が、より格別顕著なものとなる。
また、本発明の刃先回転式切削工具において、前記切削インサートを前記インサート軸線方向から見て、前記切れ刃のうち前記工具軸線方向の工具先端側の端部と、前記インサート軸線上と、を結ぶ仮想直線を第１の仮想直線とし、前記貫通孔の開口部の中心軸と前記切削インサートの外周面の交差点と、前記インサート軸線上と、を結ぶ仮想直線を第２の仮想直線として、前記第１の仮想直線と前記第２の仮想直線との間に形成される中心角θが、０〜１５０°であることが好ましい。
この場合、貫通孔の開口部から噴出した流体が、切削インサートの外周面のうち、インサート軸線よりも工具径方向の内側に位置する領域を流れて（回り込んで）、切れ刃の工具先端側の端部近傍にまで到達しやすくなる。つまり、切削加工時には、切り込み量の大小に係わらず、切れ刃の工具先端側の端部が切削に供されることとなるが、上記構成によれば、この端部近傍に安定して流体を送り込むことができる。
具体的には、上記中心角θが１５０°以下であるので、貫通孔の開口部から噴出した流体を、切削インサートの外周面においてインサート軸線よりも工具径方向の内側に位置する領域に確実に流しつつ、切れ刃の工具先端側の端部まで送り込むことができる。
なお、上記中心角θが０°のとき、切削インサートをインサート軸線方向から見たインサート正面視において、貫通孔の開口部の中心軸（の延長線）と、切削インサートの外周面との交差点が、切れ刃の工具先端側の端部に一致させられることになる。つまり、切れ刃の工具先端側の端部に対して、流体を直接的に供給できる。
このような構成とするには、例えば、貫通孔の開口部の中心軸を、工具軸線に直交する工具径方向に沿って延ばして、切れ刃の工具先端側の端部上を通せばよい。
【００３３】
また、本発明の刃先回転式切削工具において、前記切削インサートを前記インサート軸線方向から見て、前記貫通孔の開口部の中心軸が、前記工具軸線方向の工具先端側へ向かうに従い漸次前記工具径方向の内側へ向けて延びていることとしてもよい。
【００３４】
また、本発明の刃先回転式切削工具において、前記切削インサートを前記インサート軸線方向から見て、前記貫通孔の開口部の中心軸が、前記工具軸線方向の工具先端側へ向かうに従い漸次前記工具径方向の外側へ向けて延びていることとしてもよい。
【００３５】
また、本発明の刃先回転式切削工具において、前記切削インサートを前記インサート軸線方向から見て、前記貫通孔の開口部の中心軸が、前記工具軸線に対して平行に延びていることとしてもよい。
【発明の効果】
【００３６】
本発明の刃先回転式切削工具及び工具本体によれば、構造を複雑にすることなく、小型化も容易で、切削加工時においては、切削インサートを安定して従動回転させることができ、かつ、切削インサートの冷却効果を高められ、切れ刃にクーラントを安定供給することができる。
【図面の簡単な説明】
【００３７】
【図１】本発明の第１実施形態に係る刃先回転式ミーリング工具を示す斜視図であり、詳しくは、この刃先回転式ミーリング工具を貫通孔の開口部の中心軸方向から見た図である。
【図２】図１の刃先回転式ミーリング工具を示す正面図（刃先回転式ミーリング工具を工具軸線方向の先端から基端側へ向けて見た図）である。
【図３】図１の刃先回転式ミーリング工具を示す側面図であり、また、切削インサートをインサート軸線方向から見たインサート正面図でもある。
【図４】図１の刃先回転式ミーリング工具を示す側面図であり、また、切削インサートをインサート軸線に直交するインサート径方向から見たインサート側面図でもある。
【図５】図１の刃先回転式ミーリング工具において、切削インサートの装着数を１つとした変形例である。
【図６】図２の刃先回転式ミーリング工具において、切削インサートの装着数を１つとした変形例である。
【図７】図３の刃先回転式ミーリング工具において、切削インサートの装着数を１つとした変形例である。
【図８】図４の刃先回転式ミーリング工具において、切削インサートの装着数を１つとした変形例である。
【図９】本発明の第２実施形態に係る刃先回転式ミーリング工具を示す斜視図であり、詳しくは、この刃先回転式ミーリング工具を貫通孔の開口部の中心軸方向から見た図である。
【図１０】図９の刃先回転式ミーリング工具を示す正面図（刃先回転式ミーリング工具を工具軸線方向の先端から基端側へ向けて見た図）である。
【図１１】図９の刃先回転式ミーリング工具を示す側面図であり、また、切削インサートをインサート軸線方向から見たインサート正面図でもある。
【図１２】図９の刃先回転式ミーリング工具を示す側面図であり、また、切削インサートをインサート軸線に直交するインサート径方向から見たインサート側面図でもある。
【図１３】図９の刃先回転式ミーリング工具において、切削インサートの装着数を１つとした変形例である。
【図１４】図１０の刃先回転式ミーリング工具において、切削インサートの装着数を１つとした変形例である。
【図１５】図１１の刃先回転式ミーリング工具において、切削インサートの装着数を１つとした変形例である。
【図１６】図１２の刃先回転式ミーリング工具において、切削インサートの装着数を１つとした変形例である。
【発明を実施するための形態】
【００３８】
＜第１実施形態＞
以下、本発明の第１実施形態に係る刃先回転式ミーリング工具（刃先回転式切削工具）１について、図１〜図４を参照して説明する。
【００３９】
〔刃先回転式ミーリング工具の概略構成〕
図１〜図４に示されるように、本実施形態の刃先回転式ミーリング工具１は、鋼材等で形成された工具本体２と、超硬合金等の硬質材料で形成された切削インサート３と、を備えており、工具軸線Ｏ回りに回転させられる工具本体２の先端外周部に形成されたインサート取付座４に、円板状をなす切削インサート３がそのインサート軸線Ｃ回りに回転可能（回転自在）とされて、着脱可能に装着される。
切削インサート３は、インサート軸線Ｃ回りに延びる円形状の切れ刃５を有する、所謂丸駒インサートである。インサート取付座４に取り付けられた切削インサート３は、その切れ刃５が、工具本体２の先端側及び径方向外側に突出して配置される。
【００４０】
刃先回転式ミーリング工具１は、その工具本体２の基端部（シャンク部）が工作機械の主軸等（不図示）に取り付けられ、工具軸線Ｏ回りの工具回転方向Ｔに回転させられて、金属材料等の被削材の転削加工（ミーリング加工）に供される。
この刃先回転式ミーリング工具１は、切削インサート３が被削材に切り込んで加工する際に切れ刃５が受ける力（切削力又は切削抵抗であり、刃先力又はエッジフォースの成分を含む）によって、インサート取付座４に対して該切削インサート３がインサート軸線Ｃ回りに従動（受動）的に回転する、ロータリーミーリング工具である。
【００４１】
〔本明細書で用いる向き（方向）の定義〕
本明細書においては、工具本体２の工具軸線Ｏ方向のうち、シャンク部からインサート取付座４へ向かう方向を工具先端側（図３及び図４における下側）といい、インサート取付座４からシャンク部へ向かう方向を工具基端側（図３及び図４における上側）という。
また、工具軸線Ｏに直交する方向を工具径方向といい、工具径方向のうち、工具軸線Ｏに接近する向きを工具径方向の内側といい、工具軸線Ｏから離間する向きを工具径方向の外側という。
また、工具軸線Ｏ回りに周回する方向を工具周方向といい、工具周方向のうち、切削時に工作機械の主軸等により工具本体２が回転させられる向きを工具回転方向Ｔといい、これとは反対の回転方向を、工具回転方向Ｔとは反対側（反工具回転方向）という。
【００４２】
また、切削インサート３のインサート軸線Ｃが延在する向きをインサート軸線Ｃ方向といい、図４に示される切削インサート３の側面視で、インサート軸線Ｃ方向のうち、切削インサート３の工具回転方向Ｔを向く表面９からインサート取付座４に着座させられる裏面１０へ向かう方向を、インサート軸線Ｃ方向の表面９から裏面１０側といい、これとは反対へ向かう方向を、インサート軸線Ｃ方向の裏面１０から表面９側という。
また、インサート軸線Ｃに直交する方向をインサート径方向といい、インサート径方向のうち、インサート軸線Ｃに接近する向きをインサート径方向の内側といい、インサート軸線Ｃから離間する向きをインサート径方向の外側という。
また、インサート軸線Ｃ回りに周回する方向をインサート周方向という。
【００４３】
〔工具本体〕
図１〜図４において、工具本体２は、円柱状又は円盤状をなしており、その中心軸である工具軸線Ｏ回りに、工作機械の主軸等により回転させられる。本実施形態の例では、工具本体２は円柱状をなしており、該工具本体２の先端部（刃部）に比べて、該先端部以外の部位（シャンク部）が大径に形成されている。
【００４４】
工具本体２の先端外周部には、工具周方向に互いに間隔をあけて、該先端外周部から凹状に切り欠かれるように複数のチップポケット６が形成されている。
これらチップポケット６において、工具回転方向Ｔを向く壁面には、切削インサート３が着脱可能に装着されるインサート取付座４がそれぞれ設けられている。また、チップポケット６には、インサート取付座４に装着された切削インサート３に向けて、貫通孔８が開口している。
【００４５】
〔インサート取付座〕
インサート取付座４は、チップポケット６の工具回転方向Ｔを向く壁面に形成された取付面４ａと、取付面４ａに開口する支持軸装着孔（不図示）と、取付面４ａ上に設けられる円板状のシート部材４ｂと、支持軸装着孔に装着されるとともに、切削インサート３の取付孔（不図示）及びシート部材４ｂの孔（不図示）に挿通され、切削インサート３をインサート軸線Ｃ回りに回転可能に支持する支持軸４ｃと、を備えている。
【００４６】
取付面４ａは、切削インサート３の形状に対応して略円形平面状に形成されている。
図４に示される工具本体２の側面視（インサート取付座４の側面視）で、取付面４ａは、工具先端側へ向かうに従い漸次工具回転方向Ｔとは反対側へ向けて傾斜している。
また、図２に示される工具本体２の正面視で、取付面４ａは、工具径方向外側へ向かうに従い漸次工具回転方向Ｔとは反対側へ向けて傾斜している。
【００４７】
特に図示していないが、支持軸装着孔は、取付面４ａの略中央に位置しており、該取付面４ａに直交するように穿設されている。支持軸装着孔には雌ねじ部が形成されており、この雌ねじ部に、支持軸４ｃの雄ねじ部が螺着している。なお、支持軸４ｃは、支持軸装着孔に対して螺着以外の嵌合等により装着されていてもよい。
【００４８】
シート部材４ｂは、円板状をなしている。シート部材４ｂの径方向中央（インサート軸線Ｃ上）には、支持軸４ｃが挿通される孔が形成されている。
本実施形態の例では、シート部材４ｂが複数設けられており、これらのシート部材４ｂ同士がインサート軸線Ｃ方向に重ねられて、取付面４ａと切削インサート３との間に介装されている。なお、これらのシート部材４ｂのうち、少なくとも切削インサート３の裏面１０に当接させられるシート部材４ｂは、該切削インサート３及び取付面４ａに対して、インサート軸線Ｃ回りに回転可能であることが好ましい。
【００４９】
支持軸４ｃは、切削インサート３の取付孔及びシート部材４ｂの孔に挿通されて支持軸装着孔に取り付けられる軸部（不図示）と、この軸部に接続されるとともに、切削インサート３の取付孔の内径よりも大径とされ、切削インサート３の表面９との間に隙間をあけて配置される頭部と、を有している。支持軸４ｃは、その中心軸がインサート軸線Ｃに同軸に配置される。
【００５０】
〔切削インサート〕
切削インサート３は、インサート軸線Ｃに交差する（インサート軸線Ｃに略直交する）表面９及び裏面１０と、これら表面９及び裏面１０の周縁同士を接続する外周面１１と、表面９と外周面１１との交差稜線に形成される切れ刃５と、を有している。
なお、本明細書でいう「インサート軸線Ｃに交差する表面９及び裏面１０」とは、インサート軸線Ｃが直接的に表面９及び裏面１０に交差している構成に限らず、本実施形態のように、インサート軸線Ｃが表面９及び裏面１０に開口する取付孔内に位置しつつも、該インサート軸線Ｃがこれら表面９及び裏面１０の中心（仮想中心）を貫いている構成を含んでいる。
【００５１】
また、外周面１１は、表面９及び裏面１０の周縁同士を、インサート軸線Ｃ方向に沿うように繋いでいる。なお、特に図示していないが、外周面１１には、インサート径方向の内側へ向けて窪む凹部及びインサート径方向の外側へ向けて突出する凸部のうち、少なくともいずれかが形成されていることが好ましい。具体的に、外周面１１の凹部及び／又は凸部は、該外周面１１において、少なくとも後述する貫通孔８から噴出する流体が衝突させられる部位に対応して配置される。また、凹部及び／又は凸部は、外周面１１において、インサート周方向に間隔をあけて複数配置されることが好ましい。
【００５２】
図２及び図４に示されるように、切削インサート３が工具本体２のインサート取付座４に装着された状態で、表面９及び裏面１０のうち、表面９が、工具回転方向Ｔを向くように配置され、裏面１０が、工具回転方向Ｔとは反対側を向くように配置されるとともに、インサート取付座４のシート部材４ｂに着座される。
【００５３】
図２及び図３において、表面９の周縁には、インサート周方向に沿って延びる円形状をなし、インサート軸線Ｃに垂直な仮想平面（不図示）上に配置された切れ刃５が形成されている。切れ刃５は、表面９における該切れ刃５以外の部位よりもインサート軸線Ｃ方向の裏面１０から表面９側へ向けて突出している。
【００５４】
また、表面９における切れ刃５のインサート径方向の内側には、該切れ刃５からインサート径方向の内側へ向かうに従い漸次インサート軸線Ｃ方向の表面９から裏面１０側へ向けて傾斜する、テーパ状のすくい面が形成されている。つまり、表面９のうち、切れ刃５のインサート径方向の内側に隣接配置される部分が、すくい面となっている。
【００５５】
また、切削インサート３の外周面１１のうち、切れ刃５に隣接する部分が逃げ面とされている。本実施形態の例では、外周面１１全体が、インサート軸線Ｃに平行に形成されているとともに、インサート軸線Ｃを中心とする円筒面状をなしていて、この切削インサート３はネガティブインサートとされている。
【００５６】
裏面１０は、シート部材４ｂの表面（切削インサート３側を向く面）に着座する着座面とされている。本実施形態の例では、シート部材４ｂの表面がインサート軸線Ｃに垂直な平面状をなしているのに対応して、切削インサート３の裏面１０（着座面）も、インサート軸線Ｃに垂直な平面状をなしている。
また、切削インサート３には、インサート軸線Ｃ上を延びて表面９及び裏面１０に開口する取付孔（不図示）が形成されている。
【００５７】
図４に示されるように、本実施形態の例では、インサート取付座４に切削インサート３が装着された状態で、該切削インサート３のインサート軸線Ｃが、工具回転方向Ｔに向かうに従い漸次工具先端側へ向けて傾斜して延びている。なお、切削インサート３のインサート軸線Ｃは、工具回転方向Ｔに向かうに従い漸次工具径方向の外側へ向けて傾斜して延びていてもよく、或いは、工具回転方向Ｔに向かうに従い漸次工具先端側かつ工具径方向の外側へ向けて傾斜して延びていてもよい。
【００５８】
〔貫通孔〕
工具本体２に形成される貫通孔８は、該工具本体２の内部を工具軸線Ｏ方向に沿うように延びて形成されているとともに、該工具本体２を貫通している。貫通孔８は、その基端部が、工具本体２のシャンク部に装着される工作機械の主軸等を通して不図示の流体供給手段に接続し、その先端部が、チップポケット６に開口する。
【００５９】
貫通孔８内には、流体供給手段から例えば液体及びガス等の流体が流入され、この流体は貫通孔８内を工具先端側へ向けて流れていき、該貫通孔８のチップポケット６への開口部８ｃから、切削インサート３の外周面１１へ向けて噴出される。
つまり、本実施形態の工具本体２には、切削インサート３の外周面１１に向けて開口する貫通孔８が形成されている。
なお、本実施形態においては、上記流体はクーラント（油性又は水溶性の切削液剤）であり、上記流体供給手段はクーラント供給手段である。
【００６０】
貫通孔８は、工具本体２の基端面に開口するとともに、該基端面から工具先端側へ向けて工具軸線Ｏ上を延びる幹孔８ａと、幹孔８ａの先端部に連通し、該先端部からチップポケット６に向けて延びる枝孔８ｂと、を備えている。
【００６１】
幹孔８ａは、その先端部が止め穴となっており、該幹孔８ａの先端部に位置する底面には、この幹孔８ａよりも小径とされた枝孔８ｂが開口している。そして、枝孔８ｂにおける先端部に位置してチップポケット６に開口する開口部８ｃが、切削インサート３の外周面１１に対向している。
【００６２】
具体的には、図３に示されるように、切削インサート３をインサート軸線Ｃ方向から見て（以下の説明ではこれを「インサート正面視」という場合がある）、貫通孔８の開口部８ｃの中心軸Ｌ（枝孔８ｂの中心軸Ｌ）が、切削インサート３の外周面１１に交差し、かつ、インサート軸線Ｃ上を通らないように配置されている。
また、このインサート正面視で、インサート軸線Ｃに対して、貫通孔８の開口部８ｃが、工具径方向の内側に配置されている。
【００６３】
本実施形態では、図３に示されるインサート正面視において、貫通孔８の開口部８ｃの中心軸Ｌが、工具先端側へ向かうに従い漸次工具径方向の内側へ向けて、傾斜して延びている。またこのインサート正面視において、枝孔８ｂの基端部（幹孔８ａとの接続部分）と先端部（開口部８ｃ）との間で、中心軸Ｌと工具軸線Ｏとは交差していない。
【００６４】
また、図３のインサート正面視で、切れ刃５のうち工具先端側の端部５ａと、インサート軸線Ｃ上と、を結ぶ仮想直線を第１の仮想直線ＶＬ１とし、貫通孔８の開口部８ｃの中心軸Ｌと切削インサート３の外周面１１の交差点ＣＰと、インサート軸線Ｃ上と、を結ぶ仮想直線を第２の仮想直線ＶＬ２として、第１の仮想直線ＶＬ１と第２の仮想直線ＶＬ２との間に形成される中心角θが、０〜１５０°とされている。
【００６５】
また、図４に示されるように、貫通孔８の開口部８ｃの中心軸Ｌが、該開口部８ｃから切削インサート３に向かうに従い漸次インサート軸線Ｃ方向の裏面１０から表面９側へ向けて延びている。
【００６６】
また本実施形態では、図３に示されるように、チップポケット６において工具径方向の外側を向く壁面（チップポケット６における工具径方向の内側の端部に位置する壁面）に、貫通孔８の開口部８ｃの工具先端側（流体の噴出方向）に連なるように、溝部８ｄが形成されている。また、この溝部８ｄは、切削インサート３の外周面１１に沿うように延びている。
【００６７】
図４に示されるように、溝部８ｄは、貫通孔８の開口部８ｃにおける内周面のうち、中心軸Ｌ回りの一部分を、中心軸Ｌに沿って工具先端側へ向けて延ばしたように形成されており、開口部８ｃに対して段差なく滑らかに接続している。また、溝部８ｄの開口（溝底とは反対側の部分）は、切削インサート３の外周面１１に対向されており、かつ、外周面１１に接近配置されている。なお、溝部８ｄの工具先端側の端部は、工具本体２の先端面に開口している。
【００６８】
〔本実施形態による作用効果〕
以上説明した本実施形態の刃先回転式ミーリング工具１では、切削加工時において、切削インサート３が切れ刃５で被削材に切り込み、この際に被削材から受ける力によって、切削インサート３はインサート取付座４に対してインサート軸線Ｃ回りに従動回転させられる。
本実施形態の刃先回転式ミーリング工具１及びその工具本体２によれば、工具本体２に形成された貫通孔８が、該工具本体２のインサート取付座４に装着される切削インサート３の外周面１１に向けて、開口している。
このため、工具本体２の貫通孔８の内部に、例えば液体やガス等の流体を流通させて、貫通孔８の開口部８ｃから切削インサート３の外周面１１に向けて噴出させることができる。なお、この流体としては、本実施形態のようにクーラントを用いることが好ましいが、それ以外の流体であってもよい。
【００６９】
貫通孔８の開口部８ｃから切削インサート３の外周面１１に噴出させられた流体は、この切削インサート３をインサート軸線Ｃ回りに回転させるように作用する。つまり、貫通孔８から流体を噴出させ、切削インサート３の外周面１１に衝突させることによって、この切削インサート３に対して、インサート軸線Ｃ回りの回転力を生じさせることができる。そして、この回転力によって、切削インサート３の従動回転をアシストすることができる。
また、このように切削インサート３の従動回転をアシストすることによって、該切削インサート３の回転数を安定的に高めることができる。これにより、切削加工の加工速度を高めることが可能になり、加工能率が向上する。
【００７０】
また、切削インサート３が円板状をなしていることから、該切削インサート３の外周面１１に噴出された流体は、この外周面１１に沿ってインサート軸線Ｃ回りに流れていく。つまり流体は、切削インサート３の外周面１１上を、広い範囲に接触させられつつ流れていくので、切削加工により高められた切削インサート３の熱（切削熱）を、流体との間で効率よく熱交換することができる。従って、切削インサート３を冷却する効果が高められる。特に、切削インサート３の外周面１１の端縁に位置する切れ刃５近傍を効率よく冷却することが可能になる。
【００７１】
さらに、本実施形態のように流体としてクーラントを用いた場合には、切削インサート３の表面９（すくい面）及び裏面１０（インサート取付座４への着座面）のうち、表面９と、外周面１１との交差稜線に位置する切れ刃５に対して、クーラントを安定して供給することができる。
詳しくは、切削インサート３の外周面１１は、切削加工時においては逃げ面として機能する。このため、本実施形態によれば、クーラントを逃げ面から切れ刃５へ向けて供給することができる。つまり、切削加工時においては、切れ刃５に切削されて生じた切屑が、切削インサート３のすくい面上を流れていくため、すくい面から切れ刃５へ向けたクーラントの供給については、切屑により妨げられやすくなるが、逃げ面から切れ刃５へ向けたクーラントの供給については、切屑により妨げられることはない。
従って、切れ刃５にクーラントを安定して供給することが可能になる。またこれにより、切れ刃５の刃先欠損、溶着、摩耗等を顕著に抑制でき、工具寿命を延長できるとともに、切削加工の精度を安定的に高品位に維持することができる。
【００７２】
そして本実施形態によれば、工具本体２に貫通孔８を形成するという簡単な構造により、上述の優れた作用効果を得ることができる。また、工具を小型化するにあたって、貫通孔８が妨げになるようなことも考えにくい。
【００７３】
以上より本実施形態によれば、構造を複雑にすることなく、小型化も容易で、切削加工時においては、切削インサート３を安定して従動回転させることができ、かつ、切削インサート３の冷却効果を高められ、切れ刃５にクーラントを安定供給することができる。
【００７４】
また本実施形態では、図３に示されるように、切削インサート３をインサート軸線Ｃ方向から見たインサート正面視において、工具本体２に形成された貫通孔８の開口部８ｃの中心軸Ｌ（の延長線）上に、切削インサート３の外周面１１が位置しており、かつ、該切削インサート３のインサート軸線Ｃが位置していない。
つまり、貫通孔８から噴出させられる流体の噴出方向が、該貫通孔８の開口部８ｃと、切削インサート３のインサート軸線Ｃとを結ぶ仮想直線上に一致しないようにされているので、切削インサート３の外周面１１に流体が衝突したときに、この切削インサート３に対して、インサート軸線Ｃ回りのインサート周方向のうち、必ず所定方向に向けて回転力が付与されるようになっている。なお、本実施形態において前記所定方向は、図３の切削インサート３上に白抜き矢印で示される向きである。
従って、この回転力によって、切削インサート３の従動回転を安定してアシストすることが可能になる。
【００７５】
また本実施形態では、図４に示されるように、貫通孔８の開口部８ｃの中心軸Ｌが、該開口部８ｃから切削インサート３に向かうに従い漸次インサート軸線Ｃ方向の裏面１０から表面９側へ向けて延びているので、下記の作用効果を奏する。
すなわちこの場合、貫通孔８の開口部８ｃから切削インサート３の外周面１１へ向けて噴出させられた流体が、該外周面１１に衝突した後、そのまま切れ刃５へ向けて流れやすくなる。従って、切れ刃５近傍を冷却する効果や、切れ刃５にクーラントを安定供給できるという効果が、より格別顕著なものとなる。
【００７６】
また本実施形態では、図３のインサート正面視で、貫通孔８の開口部８ｃが、切削インサート３のインサート軸線Ｃよりも工具径方向の内側において工具本体２に開口しているので、貫通孔８の内部を流れる流体が、工具本体２の回転による遠心力の作用により、切削インサート３の外周面１１に向けて勢いを増しつつ衝突させられ、かつ、衝突後には、工具径方向の外側に向けて切削インサート３の外周面１１上を流れていく。
従って、上述した本実施形態の作用効果が、より顕著なものとなる。
【００７７】
またこの場合、工具本体２の内部を通る貫通孔８のうち、工具軸線Ｏ上に延びる幹孔８ａに対して、貫通孔８の開口部８ｃ（枝孔８ｂ）を、折れ曲がることのない一本の直線状の孔により容易に接続することができ、工具を製造しやすい。また設計上においても、貫通孔８の開口部８ｃから流体が噴出する噴出方向を、切削インサート３の従動回転をアシスト可能な向きに、容易に対応させやすい。
【００７８】
また本実施形態では、図３に示されるインサート正面視において、第１の仮想直線ＶＬ１と第２の仮想直線ＶＬ２との間に形成される中心角θが、０〜１５０°であるので、下記の作用効果を奏する。
すなわちこの場合、貫通孔８の開口部８ｃから噴出した流体が、切削インサート３の外周面１１のうち、インサート軸線Ｃよりも工具径方向の内側に位置する領域を流れて（回り込んで）、切れ刃５の工具先端側の端部５ａ近傍にまで到達しやすくなる。つまり、切削加工時には、切り込み量の大小に係わらず、切れ刃５の工具先端側の端部５ａが切削に供されることとなるが、上記構成によれば、この端部５ａ近傍に安定して流体を送り込むことができる。
【００７９】
具体的には、上記中心角θが１５０°以下であるので、貫通孔８の開口部８ｃから噴出した流体を、切削インサート３の外周面１１においてインサート軸線Ｃよりも工具径方向の内側に位置する領域に確実に流しつつ、切れ刃５の工具先端側の端部５ａまで送り込むことができる。
【００８０】
なお、上記中心角θが０°のとき、図３に示されるインサート正面視において、貫通孔８の開口部８ｃの中心軸Ｌ（の延長線）と、切削インサート３の外周面１１との交差点ＣＰが、切れ刃５の工具先端側の端部５ａに一致させられることになる。つまり、切れ刃５の工具先端側の端部５ａに対して、流体を直接的に供給できる。
このような構成とするには、特に図示していないが例えば、貫通孔８の開口部８ｃの中心軸Ｌを、工具軸線Ｏに直交する工具径方向に沿って延ばして、切れ刃５の工具先端側の端部５ａ上を通せばよい。
【００８１】
また本実施形態では、貫通孔８の開口部８ｃの工具先端側に、溝部８ｄが連なっており、該溝部８ｄが、切削インサート３の外周面１１に沿うように延びているとともに、この溝部８ｄの開口が、外周面１１に接近して対向配置されている。
従って、貫通孔８の開口部８ｃから噴出させられた流体が、さらにこの溝部８ｄ上を流れながら切削インサート３の外周面１１に強制的に接触させられて、切削インサート３の従動回転を効果的にアシストでき、冷却効果をより高めることができる。
つまり、溝部８ｄを形成するという簡単な構造によって、上述した本実施形態の効果をさらに格別顕著なものとすることができる。
【００８２】
また、切削インサート３の外周面１１に、凹部及び凸部の少なくともいずれかが形成されている場合には、切削インサート３の従動回転をアシストする効果や、冷却効果を高める効果が、より顕著なものとなる。
【００８３】
ここで、図５〜図８に示されるものは、本実施形態で説明した刃先回転式ミーリング工具１において、切削インサート３の装着数を１つとした変形例である。この変形例を参照することにより、本実施形態の貫通孔８の構成をより明確に理解することができる。
そして、このように工具本体２の先端部に１つのインサート取付座４が設けられ、該インサート取付座４に、１つの切削インサート３がインサート軸線Ｃ回りに回転可能とされて装着された刃先回転式切削工具を、刃先回転式ターニング工具１として、被削材のターニング加工（旋削加工）に用いることが可能である。なお、この場合、刃先回転式ターニング工具１の工具本体２は、工具軸線Ｏに垂直な断面が例えば四角形状等とされた、多角形柱状に形成されることが好ましい。
つまり本発明は、刃先回転式ミーリング工具１のみならず、刃先回転式ターニング工具１を含めた刃先回転式切削工具において、適用可能である。
【００８４】
＜第２実施形態＞
次に、本発明の第２実施形態に係る刃先回転式ミーリング工具３０について、図９〜図１２を参照して説明する。
なお、前述の実施形態と同じ構成要素については詳細な説明を省略し、主として異なる点についてのみ、下記に説明する。
【００８５】
〔前述の実施形態との相違点〕
図９〜図１２に示されるように、本実施形態の刃先回転式ミーリング工具３０は、前述の実施形態で説明した刃先回転式ミーリング工具１とは、貫通孔８の開口部８ｃ（枝孔８ｂ）が異なっている。
【００８６】
本実施形態においては、図１１に示されるインサート正面視で、貫通孔８の開口部８ｃの中心軸Ｌが、工具先端側へ向かうに従い漸次工具径方向の外側へ向けて、傾斜して延びている。またこのインサート正面視において、枝孔８ｂの基端部（幹孔８ａとの接続部分）と先端部（開口部８ｃ）との間で、中心軸Ｌと工具軸線Ｏとが交差している。
【００８７】
また、溝部８ｄの工具先端側の端部は、工具本体２の先端面に開口することなく、チップポケット６の工具径方向の内側の端部に位置する壁面において、切削インサート３の外周面１１へ向かうように切り上がっている。
【００８８】
〔本実施形態による作用効果〕
本実施形態の刃先回転式ミーリング工具３０においても、前述した実施形態と同様の作用効果を得ることができる。
【００８９】
また、本実施形態においては、溝部８ｄの工具先端側の端部が工具本体２の先端面に開口されていないため、溝部８ｄを流れる流体が、無駄なく（効率よく）切削インサート３の外周面１１に接触させられることになる。
これにより、切削インサート３を安定して従動回転させることができ、切削インサート３の冷却効果を高めることができ、切れ刃５にクーラントを安定供給することができる、という本発明による作用効果が、より格別顕著なものとなる。
【００９０】
また、図１３〜図１６に示されるものは、本実施形態で説明した刃先回転式ミーリング工具３０において、切削インサート３の装着数を１つとした変形例である。この変形例を参照することにより、本実施形態の貫通孔８の構成をより明確に理解することができる。
そして、このように工具本体２の先端部に１つのインサート取付座４が設けられ、該インサート取付座４に、１つの切削インサート３がインサート軸線Ｃ回りに回転可能とされて装着された刃先回転式切削工具を、刃先回転式ターニング工具３０として、被削材のターニング加工（旋削加工）に用いることが可能である。なお、この場合、刃先回転式ターニング工具３０の工具本体２は、工具軸線Ｏに垂直な断面が例えば四角形状等とされた、多角形柱状に形成されることが好ましい。
つまり本発明は、刃先回転式ミーリング工具３０のみならず、刃先回転式ターニング工具３０を含めた刃先回転式切削工具において、適用可能である。
【００９１】
〔本発明に含まれるその他の構成〕
なお、本発明は前述の実施形態に限定されるものではなく、本発明の趣旨を逸脱しない範囲において種々の変更を加えることが可能である。
【００９２】
例えば、前述の実施形態では、切削インサート３とインサート取付座４の取付面４ａとの間に、インサート軸線Ｃ方向に重なり複数のシート部材４ｂが介装されるとしたが、シート部材４ｂの数は１枚であってもよい。また、シート部材４ｂが設けられずに、切削インサート３の裏面１０が、取付面４ａに直接当接していてもよい。
【００９３】
また、前述の実施形態では、貫通孔８の開口部８ｃの中心軸Ｌが、該開口部８ｃから切削インサート３に向かうに従い漸次インサート軸線Ｃ方向の裏面１０から表面９側へ向けて傾斜して延びていることとしたが、これに限定されるものではない。
すなわち、特に図示していないが、貫通孔８の開口部８ｃの中心軸Ｌが、インサート軸線Ｃに垂直な仮想平面に沿って（仮想平面上を）延びていることとしてもよい。この場合、貫通孔８の開口部８ｃから噴出した流体が切削インサート３の外周面１１に衝突させられて生じるインサート軸線Ｃ回りの回転力が、最も大きくなりやすく、よって切削インサート３の従動回転をアシストする効果が、より格別顕著なものとなる。
【００９４】
また、前述の実施形態では、図３等に示されるインサート正面視において、貫通孔８の開口部８ｃが、インサート軸線Ｃに対して、工具径方向の内側に配置されることとしたが、これに限定されるものではない。
すなわち、工具本体２が工具軸線Ｏ回りに回転させられる刃先回転式ミーリング工具１、３０において、切削インサート３をインサート軸線Ｃ方向から見て、このインサート軸線Ｃに対して、貫通孔８の開口部８ｃが、工具径方向の外側に配置されることとしてもよい。
【００９５】
上記構成によれば、下記の作用効果を奏する。
すなわち、例えば、切れ刃５の工具先端側の端部５ａ（の刃先接線）におけるラジアルレーキ角（径方向すくい角、外周すくい角）が、正（ポジティブ）角に設定されたときには、図２等に示されるようにラジアルレーキ角が負（ネガティブ）角に設定された場合とは、切削インサート３の従動回転の向き（インサート軸線Ｃ回りの回転方向）が、逆回転となる場合がある。このような場合に、上記構成を用いることによって、切削インサート３の従動回転を簡単な構造により確実にアシストすることができる。
【００９６】
また、前述の実施形態では、切削インサート３をインサート軸線Ｃ方向から見たインサート正面視において、貫通孔８の開口部８ｃの中心軸Ｌが、工具先端側へ向かうに従い漸次工具径方向の内側又は外側へ向けて、傾斜して延びているとしたが、これに限定されるものではない。
すなわち、インサート正面視において、貫通孔８の開口部８ｃの中心軸Ｌが、工具軸線Ｏに対して平行に延びていることとしてもよい。
【００９７】
また、前述の実施形態では、切削インサート３は、その外周面１１がインサート軸線Ｃに平行に形成されたネガティブインサートであることとしたが、これに限定されるものではない。
すなわち、切削インサート３は、その外周面１１が、切れ刃５からインサート軸線Ｃ方向の表面９から裏面１０側へ向かうに従い漸次拡径するように形成された、上記とは異なる形状のネガティブインサートであってもよい。或いは、切削インサート３は、その外周面１１が、切れ刃５からインサート軸線Ｃ方向の表面９から裏面１０側へ向かうに従い漸次縮径するように形成された、ポジティブインサートであってもよい。
【００９８】
その他、本発明の趣旨から逸脱しない範囲において、前述の実施形態、変形例及びなお書き等で説明した各構成（構成要素）を組み合わせてもよく、また、構成の付加、省略、置換、その他の変更が可能である。また本発明は、前述した実施形態によって限定されることはなく、特許請求の範囲によってのみ限定される。
【符号の説明】
【００９９】
１、３０  刃先回転式切削工具（刃先回転式ミーリング工具、刃先回転式ターニング工具）
２  工具本体
３  切削インサート
４  インサート取付座
５  切れ刃
５ａ  切れ刃の工具先端側の端部
８  貫通孔
８ｃ  開口部
９  表面
１０  裏面
１１  外周面
Ｃ  インサート軸線
ＣＰ  交差点
Ｌ  貫通孔の開口部の中心軸
Ｏ  工具軸線
ＶＬ１  第１の仮想直線
ＶＬ２  第２の仮想直線
θ  中心角
【図１】
0006497175.tif 000002
【図２】
0006497175.tif 000003
【図３】
0006497175.tif 000004
【図４】
0006497175.tif 000005
【図５】
0006497175.tif 000006
【図６】
0006497175.tif 000007
【図７】
0006497175.tif 000008
【図８】
0006497175.tif 000009
【図９】
0006497175.tif 000010
【図１０】
0006497175.tif 000011
【図１１】
0006497175.tif 000012
【図１２】
0006497175.tif 000013
【図１３】
0006497175.tif 000014
【図１４】
0006497175.tif 000015
【図１５】
0006497175.tif 000016
【図１６】
0006497175.tif 000017